(57)【要約】【課題】紙巻取製品のコンベア装置を用いた搬送装置の停止位置の精度を向上させ、且つ搬送効率を向上させた紙巻取製品の搬送システム及び搬送方法を提供する。【解決手段】紙巻取製品を床面上でコンベア装置を用いて搬送する紙巻取製品の搬送方法において、紙巻取製品を特定位置で停止させるため、紙巻取製品の製品幅及び質量の情報を書き込んだＩＣタグの情報と、紙巻取製品の位置を測定する非接触型距離計の情報とを比較して、紙巻取製品の減速及び停止させることを特徴とする紙巻取製品の搬送方法。【選択図】  図１
2007084330.tif 000002
【特許請求の範囲】
【請求項１】
紙巻取製品を床面上でコンベア装置を用いて搬送する紙巻取製品の搬送システムにおいて、紙巻取製品の製品幅及び質量の情報を書き込んだＩＣタグと、該タグを紙巻取製品に装着する治具と、該タグから情報を読み取るアンテナと、紙巻取製品の位置を測定する非接触型距離計と、該距離計による紙巻取製品の停止位置を該タグによる情報により減速させる減速装置を有することを特徴とする紙巻取製品の搬送システム。
【請求項２】
紙巻取製品を床面上でコンベア装置を用いて搬送する紙巻取製品の搬送方法において、紙巻取製品を特定位置で停止させるため、紙巻取製品の製品幅及び質量の情報を書き込んだＩＣタグの情報と、紙巻取製品の位置を測定する非接触型距離計の情報とを比較して、紙巻取製品の減速及び停止させることを特徴とする紙巻取製品の搬送方法。
【請求項３】
紙巻取製品を床面上でコンベア装置を用いて搬送する紙巻取製品の搬送方法において、紙巻取製品の製品幅及び質量の情報を書き込んだＩＣタグの情報をもとに、紙巻取製品を載置したコンベア装置の減速速度を変化させることを特徴とする紙巻取製品の搬送方法。
【発明の詳細な説明】
【技術分野】
【０００１】
本発明は、紙巻取製品を床面上でコンベア装置を用いて搬送する搬送システム及び搬送方法に関するものであり、さらに詳しくは紙巻取製品をコンベア装置上で停止させる際の停止位置の精度向上に優れ、且つ紙巻取製品の製品幅及び製品質量の情報をもとに、紙巻取製品の搬送及び停止の搬送効率を向上させることのできる紙巻取製品の搬送システム及び搬送方法に関するものである。
【背景技術】
【０００２】
近年、製紙工場における紙巻取製品の生産量は増加し続けており、特に製紙設備及び仕上設備の高速化に伴い、紙巻取製品の工場内における物流工程の効率化が求められている。
【０００３】
このような状況のもとで、製紙工場では紙巻取製品のコンベア装置を用いた搬送装置による効率的な搬送を進めており、搬送の高速化と搬送精度の向上を同時に実現することが重要な課題となっている。
【０００４】
その中で、紙巻取製品をコンベア装置を用いた搬送装置で搬送する際には、搬送速度を高速化すると搬送精度、特に停止位置の精度が低下してしまう現象がみられる。
【０００５】
これは、コンベア装置を用いた搬送装置の減速装置が、正確な停止位置に紙巻取製品を停止することができなくなるためで、主な原因は搬送装置の減速装置に起因している。
【０００６】
従来より、コンベア装置を用いた搬送装置の減速方法は、停止位置を検知する検知装置からの信号をもとにブレーキを主とした減速装置による方法が一般的であった。
【０００７】
このブレーキを主とした減速装置による方法では、ブレーキ摩擦の加減が一定とならないため、紙巻取製品の停止位置の精度向上には限界があった。さらに、このブレーキパッドは摩擦熱により劣化が激しいため、ブレーキパッドの経年劣化により停止位置の精度が悪くなっていく。
【０００８】
また、紙巻取装置の場合には、その紙巻取装置の製品幅の中心などの特定位置で停止することが多く、その際にはコンベア装置を用いた搬送装置の脇に紙巻取製品の通過を検知するセンサーの信号をもとに、紙巻取装置の製品幅を求めて停止位置の手前から停止する方法がとられてきた。
【０００９】
この製品幅をもとにした減速装置による減速の方法では、予め停止位置からの手前から製品幅をもとに紙巻取製品を減速していくことにより、ブレーキへの負担を軽減する効果はあるが、実際の紙巻取装置の停止位置の把握が出来ないため、停止位置の精度向上にはつながらない。
【００１０】
また、最近では停止位置の把握のために、搬送路上に定ピッチで位置センサーを敷設して停止位置を把握する方法やＩＣタグを用いて位置の検知を行う方法などが提案されているが、これらの多くは自動搬送設備における台車やコンテナなどを対象としており、製紙工場における紙巻取製品をコンベアにて直接搬送する設備には流用できない（例えば、特許文献１参照）。
【特許文献１】特開２００３−１０８２２７号公報
【発明の開示】
【発明が解決しようとする課題】
【００１１】
本発明の目的は、紙巻取製品のコンベア装置を用いた搬送装置の停止位置の精度を向上させるもので、その結果として搬送効率を向上させた紙巻取製品の搬送装置及び搬送方法を提供することである。
【課題を解決するための手段】
【００１２】
本発明者は上記課外を解決するため鋭意検討した結果、以下の発明に至った。
すなわち、本発明は、紙巻取製品を床面上でコンベア装置を用いて搬送する紙巻取製品の搬送システムにおいて、紙巻取製品の製品幅及び質量の情報を書き込んだＩＣタグと、該タグを紙巻取製品に装着する治具と、該タグから情報を読み取るアンテナと、紙巻取製品の位置を測定する非接触型距離計と、該距離計による紙巻取製品の停止位置を該タグによる情報により減速させる減速装置を有することを特徴とする紙巻取製品の搬送システムである。
【００１３】
また、本発明は、紙巻取製品を床面上でコンベア装置を用いて搬送する紙巻取製品の搬送方法において、紙巻取製品を特定位置で停止させるため、紙巻取製品の製品幅及び質量の情報を書き込んだＩＣタグの情報と、紙巻取製品の位置を測定する非接触型距離計の情報とを比較して、紙巻取製品の減速及び停止させることを特徴とする紙巻取製品の搬送方法である。
【００１４】
また、本発明は、紙巻取製品を床面上でコンベア装置を用いて搬送する紙巻取製品の搬送方法において、紙巻取製品の製品幅及び質量の情報を書き込んだＩＣタグの情報をもとに、紙巻取製品を載置したコンベア装置の減速速度を変化させることを特徴とする紙巻取製品の搬送方法である。
【発明の効果】
【００１５】
本発明の紙巻取製品の搬送システム及び搬送方法は、紙巻取製品を特定位置で停止させる際に、種々の製品幅と種々の質量をもつ紙巻取製品をコンベア装置を用いた搬送装置において、その製品幅及び質量の値をもとに、紙巻取製品を予め減速させ停止する位置の精度向上を図ることができる。
【発明を実施するための最良の形態】
【００１６】
本発明におけるＩＣタグには、予めコンピュータにて紙巻取製品の製品幅及び質量の情報を書き込んでおき、紙巻取製品の中心の紙管内にそのＩＣタグを治具により装着しておく。
【００１７】
ＩＣタグを装着した紙巻取製品をコンベア装置を用いた搬送システムにおいて、その搬送方向から、そのＩＣタグから情報を読み取るアンテナにより紙巻取製品の製品幅及び質量の情報を読み取る。
【００１８】
更に、紙巻取製品の搬送方向に、紙巻取製品の位置を測定する非接触型距離計を設置し、ＩＣタグから紙巻取製品の製品幅及び質量の情報をもとに、紙巻取製品を停止するための減速位置及び停止位置を次のように制御する。
【００１９】
最初に、非接触型距離計からの求めた紙巻取製品の位置（実際には紙巻取製品の端面の位置）の値とＩＣタグからの製品幅の情報により、紙巻取製品を中心などの特定位置で停止するために紙巻取製品を減速する位置にあるかどうかを判断する。
【００２０】
製品幅が大きいときには早めに減速を行い、逆に製品幅が小さいときには減速を遅らせることになるが、この減速の開始位置は製品幅の情報により、予め取り決めておく。
【００２１】
非接触型距離計からの求めた紙巻取製品の位置が、予め定めておいた減速位置に達した時には第一減速として少し強めの減速を行う。これは、紙巻取製品の減速から停止までの所要時間を少なくして、搬送効率を向上させる目的で行う。
【００２２】
次に、非接触型距離計からの求めた紙巻取製品の位置が、予め定めておいた停止位置に近くなった時には第二減速として少し弱めの減速を行う。これは、紙巻取製品の停止位置の精度を向上させる目的で行う。
【００２３】
第一減速と第二減速を組み合わせることにより、紙巻取製品を目的の特定位置に停止させることが出来る。
【００２４】
更に、第一減速及び第二減速の開始位置及びその強弱は、ＩＣタグから紙巻取製品の質量の情報をもとに補正を行う。つまり、紙巻取製品が重い時には、その質量によるコンベア装置の慣性移動による影響が強くなるため、その慣性移動を補正する必要がある。
【００２５】
紙巻取製品が重い時には、第一減速位置を早めたり、その強さを強くすることにより、紙巻取製品の停止位置の精度を向上させる。紙巻取製品が軽い時には、その逆を行う。
【００２６】
また、第一減速及び第二減速の開始位置と質量による補正の内容は、外部装置からの変更を可能とし、実運用時の作業者による設定変更を行う。さらに、コンベア装置のモーター、ブレーキ、搬送機器などの経年変化により紙巻取製品の停止位置の変化も、この設定変更にて対応することが出来る。
【００２７】
以下に、本発明の実施例を挙げて説明するが、本発明はこれらの実施例に限定されるものではない。
【実施例】
【００２８】
以下、本発明の一実施例を図１から図５により説明する。
図１は本発明の一実施例に係るシステム概念図である。図１において、１は紙巻取製品、２はＩＣタグ、３はＩＣタグ読取りアンテナ、４は非接触型距離計、５はコンベア装置、６は駆動装置、７は減速装置、１０は位置演算装置である。
【００２９】
紙巻取製品１は床面に敷設されているコンベア装置５上を搬送されるが、そのコンベア装置５の搬送先に、紙巻取製品１に装着されたＩＣタグ２の情報を読み取るＩＣタグ読取りアンテナ３と紙巻取製品の位置（紙巻取製品１の端面の位置）を測定する非接触型距離計４が設置されている。
【００３０】
紙巻取製品１がコンベア装置５により搬送されると、紙巻取製品１が非接触型距離計４によりその位置を検知された時に、ＩＣタグ読取りアンテナ３によりＩＣタグ２の情報を読み取る。ＩＣタグ２の情報として、紙巻取製品１の製品幅及びその質量が格納されている。
【００３１】
位置演算装置１０は、非接触型距離計４からの紙巻取製品の位置及びＩＣタグ２からの製品幅と質量をもとに、コンベア装置５の駆動装置６と減速装置７に対して、駆動と減速を指令する。
【００３２】
図２はＩＣタグの紙巻取製品への装着を示したもので、予め紙巻取製品１の製品幅及びその質量を書き込んだＩＣタグ２をＩＣタグ装着治具９に取り付ける。
【００３３】
このＩＣタグ装着治具９は、本例では紙巻取製品１の中心にある中空紙管８に装着する構造になっており、紙巻取製品１をコンベア装置に乗せる前に、作業員が紙巻取製品１に装着しておく。
【００３４】
図３は紙巻取製品の減速方法を示したもので、図示しないコンベア装置上の紙巻取製品１の位置を、非接触型距離計４の測定した距離Ｌ０〜Ｌ３で示したものである。以下、図１と併せて説明する。
【００３５】
図中のＬｃは紙巻取製品をその中心位置で停止する停止位置を示しており、非接触型距離計４の設置位置とコンベア装置５の据付位置により設備上で決定される。
【００３６】
Ａの「搬送中・ＩＣタグ読み取り」は、非接触型距離計４は紙巻取製品１の位置を検知したことを示しており、その時にＩＣタグ読取りアンテナ３においてＩＣタグ２の情報を読み取る。この時の非接触型距離計４の測定した距離Ｌ０では、コンベア装置に対して何ら減速を行わず、通常の速度での搬送を行う。
【００３７】
Ｂの「第一減速開始」は、非接触型距離計４の測定した距離Ｌ１において、コンベア装置５の減速装置７に対し、第一減速として少し強めの減速を行う。これは、紙巻取製品１の減速から停止までの所要時間を少なくして、搬送効率を向上させる目的で行う。
【００３８】
Ｃの「第二減速開始」は、非接触型距離計４の測定した距離Ｌ２において、コンベア装置５の減速装置７に対し、第二減速として少し弱めの減速を行う。これは、紙巻取製品１の停止位置の精度を向上させる目的で行う。
【００３９】
Ｄの「停止位置」は、非接触型距離計４の測定した距離Ｌ３が実際の紙巻取製品１の中心停止位置となり、この距離Ｌ３になるまで紙巻取製品１の減速を行い、最終的に紙巻取製品１を停止させる。このＬ３は、以下の計算式により求めることができる。
【００４０】
Ｌ３＝Ｌｃ−Ｗ÷２  （Ｗは紙巻取製品の製品幅を示す）
【００４１】
図４は停止位置の精度向上を示したもので、コンベア装置上の紙巻取製品を減速して停止させる時の、その速度と位置の関係を示している。グラフＡは一定の減速だけで紙巻取製品を停止させるものを示している。グラフＢは本発明のより好ましい態様であって、第一減速と第二減速により紙巻取製品を停止させるものを示している。
【００４２】
このグラフより、停止位置の精度を向上させるためにはコンベア装置による減速の速度が小さいほど、停止位置を正確に位置づけられることがわかり、その停止位置は非接触型距離計の測定した距離により決定することができる。
【００４３】
図５は紙巻取製品の質量による補正を示したもので、紙巻取製品の質量がグラフＷ１よりグラフＷ２が重いケースを示している。グラフＷ２ではコンベア装置５の質量による慣性移動による影響（実際には停止位置が少し延びる）が発生するため、第一減速を開始する位置をグラフＷ１より少し早めに行うことを示している。
【００４４】
以上のように、紙巻取製品の質量によって減速方法をコントロールすることにより、紙巻取製品を予め減速させ停止する位置の精度向上を図ることができる。
【産業上の利用可能性】
【００４５】
本発明は、紙巻取製品を床面上でコンベア装置を用いて搬送する搬送装置及び搬送方法に利用できる。
【図面の簡単な説明】
【００４６】
【図１】システム概念図
【図２】ＩＣタグの紙巻取製品への装着を示す断面図
【図３】紙巻取製品の減速方法を示すブロック図
【図４】停止位置の精度向上を示すグラフ
【図５】質量による補正を示すグラフ
【符号の説明】
【００４７】
１  紙巻取製品
２  ＩＣタグ
３  ＩＣタグ読取りアンテナ
４  非接触型距離計
５  コンベア装置
６  駆動装置
７  減速装置
８  中空紙管
９  ＩＣタグ装着治具
１０  位置演算装置
【図１】
2007084330.tif 000003
【図２】
2007084330.tif 000004
【図３】
2007084330.tif 000005
【図４】
2007084330.tif 000006
【図５】
2007084330.tif 000007